(57)【要約】【課題】従来のバタフライクラッチとピンを用いた装飾金具は、強い外力が働いた場合、外れ易く、外れた場合、ピン先が露出したピンが地面や床面に落ちて、人が踏み付けて怪我をするおそれがあるので、かかる不都合を生じない装飾品部Ａと片面カシメ雌部Ｂ２との組合せを提供することである。【解決手段】  装飾品部Ａが、装飾品Ａ０と片面カシメ部Ｂ１とからなり、片面カシメ部Ｂ１が、平坦部Ｂ１１と足部Ｂ１２とからなり、装飾品Ａ０と平坦部Ｂ１１とを面接着してなると共に、片面カシメ雌部Ｂ２が、頭部Ｂ２１と第２の足部Ｂ２２とからなることを特徴とする装飾品部Ａと片面カシメ雌部Ｂ２との組合せ。【選択図】図２
0003203621.tif 000002
【実用新案登録請求の範囲】
【請求項１】
装飾品部Ａと片面カシメ雌部Ｂ２との組合せにおいて、装飾品部Ａが、装飾品Ａ０と片面カシメ部Ｂ１とからなり、片面カシメ部Ｂ１が、平坦部Ｂ１１と足部Ｂ１２とからなり、装飾品Ａ０と平坦部Ｂ１１とを面接着してなると共に、片面カシメ雌部Ｂ２が、頭部Ｂ２１と第２の足部Ｂ２２とからなることを特徴とする装飾品部Ａと片面カシメ雌部Ｂ２との組合せ。
【請求項２】
装飾品部Ａと片面カシメ雌部Ｂ２との組合せにおいて、装飾品部Ａが、装飾品Ａ０と片面カシメ部Ｂ１と第１のシート体Ｓ１からなり、装飾品Ａ０と第１のシート体Ｓ１とが面接着してなり、第１のシート体Ｓ１と平坦部Ｂ１１とが面接着してなることを特徴とする請求項１に記載された装飾品部Ａと片面カシメ雌部Ｂ２との組合せ。
【請求項３】
装飾品部Ａと片面カシメ雌部Ｂ２との組合せにおいて、片面カシメ雄部Ｂ１が、平坦部Ｂ１１と足部Ｂ１２と第２のシート体とからなり、第２のシート体Ｓ２の貫通穴ｈに足部Ｂ１２を貫入させたものであって、装飾品Ａ０及び／又は第１のシート体Ｓ１と第２のシート体Ｓ２とが面接着してなることを特徴とする請求項１〜２の何れかに記載された装飾品部Ａと片面カシメ雌部Ｂ２との組合せ。
【請求項４】
装飾品部Ａと片面カシメ雌部Ｂ２との組合せにおいて、上記に記載された片面カシメ雌部Ｂ２が、頭部Ｂ２１と第２の足部Ｂ２２の他にスペーサーＳｐを構成要素とすることを特徴とする請求項１〜３の何れかに記載された装飾品部Ａと片面カシメ雌部Ｂ２との組合せ。
【請求項５】
装飾品部Ａと片面カシメ雌部Ｂ２との組合せにおいて、片面カシメ雄部Ｂ１と片面カシメ雌部Ｂ２が２対で構成されることを特徴とする請求項４に記載された装飾品部Ａと片面カシメ雌部Ｂ２との組合せ。
【考案の詳細な説明】
【技術分野】
【０００１】
本考案は、装飾品部と片面カシメ雌部との組合せに関する。
【背景技術】
【０００２】
従来技術として、従来のバタフライクラッチとピンを用いた装飾金具が有った。
しかしながら、上記従来技術の欠点として、以下の点が指摘されていた。
（１）従来技術であるバタフライクラッチとピンを用いた装飾金具は、強い外力が働いた場合、外れ易く、外れた場合、ピン先が露出したピンが地面や床面に落ちて、人が踏み付けて怪我をするおそれがあるという欠点が指摘されていた。
（２）従来のバタフライクラッチとピンを用いた装飾金具を付けたままで、衣服を洗濯したとしても、洗濯槽内では、水流の強い外力が働くため、当該装着具が衣服等から外れて、他の衣服等に紛れ込み、洗濯物を取り入れる際に、ピン先が露出したピンが他の衣服等から部屋の床面に落ちて、人が踏み付けて怪我をするおそれがあるという欠点が指摘されていた。
【０００３】
考案者は、かかる従来技術の欠点に鑑み鋭意研究した結果、本考案を完成させた。
【先行技術文献】
【特許文献】
【０００４】
本考案に係る装飾品部と片面カシメ雌部との組合せについて、ＦＩ、キーワード検索を行ったところ、本件考案（請求項１〜５に記載された考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
従来のバタフライクラッチとピンを用いた装飾金具は、強い外力が働いた場合、外れ易く、外れた場合、ピン先が露出したピンが地面や床面に落ちて、人が踏み付けて怪我をするおそれがあるので、かかる不都合を生じない装飾金具（装飾品部と片面カシメ雌部との組合せ）を提供することである。
○本考案が解決しようとする第２課題
本考案が解決しようとする第２課題は、
強い外力が働いた場合であっても非常に外れ難いが、永久に取り外すことができないのではなく、敢えて取り外そうとすれば取り外すことができるような装飾金具（装飾品部と片面カシメ雌部との組合せ）を提供することである。
○本考案が解決しようとする第３課題
本考案が解決しようとする第３課題は、
装飾金具を付けたままで、衣服を洗濯したとしても、外れることなく洗濯可能な装飾金具（装飾品部と片面カシメ雌部との組合せ）を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○片面カシメとは、片面カシメの雄部と片面カシメの雌部の２つの部品から構成され広く市販されている。
ここに、片面カシメの雄部とは、平坦部Ｂ１１と足部Ｂ１２を一体にしたものであり、片面カシメの雌部とは、頭部Ｂ２１と第２の足部Ｂ２２を一体にしたものである。
本考案においては、上記頭部Ｂ２１は装飾部として外から見えるように被服等に取付けられるのが一般的であるが、本考案者は、逆転の発想で、上記頭部Ｂ２１は装飾部として用いず、外から見えないように被服等に取付けられる一方、上記平坦部Ｂ１１に装飾品を取付けた装飾部Ａを、装飾部Ａとして外から見えるように被服等に取付けられるようにしたものを着想して本考案を完成させた。
○装飾品部Ａとは、装飾品Ａ０と片面カシメ部Ｂ１、又は、装飾品Ａ０と片面カシメ部Ｂ１と第１のシート体Ｓ１である。
○装飾品Ａ０とは、文字、図形、記号等から構成された装飾等に用いる物品をいう。装飾品Ａ０の中には、バッジ、記章等も含まれる。
○片面カシメ雄部Ｂ１とは、平坦部Ｂ１１と足部Ｂ１２とから構成されるものである。
○平坦部Ｂ１１とは、片面カシメの雄部の平坦部をいう。
○足部Ｂ１２とは、片面カシメの雄部の足部をいう。
○面接着とは、面と面とがぴったりくっつくことをいう。
○片面カシメ雌部Ｂ２とは、頭部Ｂ２１と第２の足部Ｂ２２とから構成されるものである。
○第１のシート体Ｓ１とは、装飾品部Ａを構成する要素であって、装飾品Ａ０と第１のシート体Ｓ１とが面接着してなり、第１のシート体Ｓ１と平坦部Ｂ１１とが面接着してなることを特徴とする。
○第２のシート体Ｓ２とは、装飾品部Ａを構成する要素であって、第２のシート体Ｓ２の貫通穴ｈに足部Ｂ１２を貫入させたものであって、装飾品Ａ０及び／又は第１のシート体Ｓ１と第２のシート体Ｓ２とが面接着してなることを特徴とする。
○貫通穴ｈとは、第２のシート体Ｓ２の中央部に設けられた足部Ｂ１２を貫入させるための穴である。
○スペーサーＳｐとは、間にはさんで空間を確保するための物をいう。
○頭部Ｂ２１とは、片面カシメ雄部Ｂ２の頭部をいう。
○第２の足部Ｂ２２とは、片面カシメ雄部Ｂ２の足部をいう。
○片面カシメ雄部Ｂ１と片面カシメ雌部Ｂ２が２対で構成されることとは、装飾品部Ａと片面カシメ雌部Ｂ２との組合せにおいて、片面カシメ雄部Ｂ１と片面カシメ雌部Ｂ２が対をなすが、それが２対で構成されるということである。
すなわち、本発明が、片面カシメ雄部Ｂ１と片面カシメ雌部Ｂ２が２個ずつで構成されるということである。
＜本考案の装着対象＞
●ニット製品
ニット製品に本考案を装着する場合、ニット製品に穴を開けることなく本考案を装着することが可能である。                                  
●バック等製品
バック等製品に本考案を装着する場合、バック等製品に穴を開けることを前提として本考案を装着することが可能である。      
●ファスナーの引手（プラー）
ファスナーの引手に本考案を装着する場合、装飾のない引手（プラー）の穴を利用することを前提として本考案を装着することが可能である。
●その他
ベルト等に本考案を装着する場合、ベルトの穴を利用することを前提として本考案を装着することが可能である。
＜本考案のその他効果＞
●幼稚園から学生等の学校指定バッグの引手に本考案を装着することで、他の生徒等のバッグと混在した中においても、自分のものを確実に発見することができる。
●ハンドバックの中のポーチ等に本考案を装着することで、ハンドバックの中が乱雑になっていても、本考案を装着したポーチ等を確実に発見し容易に取り出すことができる。
●幼児等に対しファスナーを噛み合わせ時の目印として本考案を装着することにより、ファスナーを噛み合わるための練習が効率的に行うことができる。
＜本考案の装着対象＞
本考案は、以下のステップで、上記本考案の装着対象に対して装着される。
（１）ステップ１
本考案の装着対象と本考案に係る、装飾品部Ａと片面カシメ雌部Ｂ２との組合せを用意する。
本考案の装着対象には、本考案の足部Ｂ１２、又は、第２の足部Ｂ２２を挿入するための穴が開いていることを確認し、穴が開いていない場合は、本考案の装着対象に穴を開ける（ただし、ニット製品に本考案を装着する場合、ニット製品に穴を開ける必要はない。）。
（２）ステップ２
本考案の装着対象の表側から、本考案の足部Ｂ１２を装着対象の穴へ挿入する。
本考案の装着対象の裏側から、貫通した上記足部Ｂ１２に対して、第２の足部Ｂ２２を被せるようにして、第２の足部Ｂ２２へ上記足部Ｂ１２を挿入する。
（３）  ステップ３
ハンマーの衝撃かペンチで挟む等により、第２の足部Ｂ１２へ上記足部Ｂ１２を挿入して、抜け出ないようにカシメる。これにより、半永久的に、足部Ｂ１２と第２の足部Ｂ２２とは一体的な結合体となり、本考案に係る、装飾品部Ａと片面カシメ雌部Ｂ２との組合せを、装飾金具として装着対象に装着することができた。
○第１の考案（請求項１に記載の考案）
上記の課題を解決するための第１の考案（請求項１に記載の考案）は、
装飾品部Ａと片面カシメ雌部Ｂ２との組合せにおいて、装飾品部Ａが、装飾品Ａ０と片面カシメ部Ｂ１とからなり、片面カシメ部Ｂ１が、平坦部Ｂ１１と足部Ｂ１２とからなり、装飾品Ａ０と平坦部Ｂ１１とを面接着してなると共に、片面カシメ雌部Ｂ２が、頭部Ｂ２１と第２の足部Ｂ２２とからなることを特徴とする装飾品部Ａと片面カシメ雌部Ｂ２との組合せである。
○第２の考案（請求項２に記載の考案）
上記の課題を解決するための第２の考案（請求項２に記載の考案）は、
装飾品部Ａと片面カシメ雌部Ｂ２との組合せにおいて、装飾品部Ａが、装飾品Ａ０と片面カシメ部Ｂ１と第１のシート体Ｓ１からなり、装飾品Ａ０と第１のシート体Ｓ１とが面接着してなり、第１のシート体Ｓ１と平坦部Ｂ１１とが面接着してなることを特徴とする請求項１に記載された装飾品部Ａと片面カシメ雌部Ｂ２との組合せである。
○第３の考案（請求項３に記載の考案）
上記の課題を解決するための第３の考案（請求項３に記載の考案）は、
装飾品部Ａと片面カシメ雌部Ｂ２との組合せにおいて、片面カシメ雄部Ｂ１が、平坦部Ｂ１１と足部Ｂ１２と第２のシート体とからなり、第２のシート体Ｓ２の貫通穴ｈに足部Ｂ１２を貫入させたものであって、装飾品Ａ０及び／又は第１のシート体Ｓ１と第２のシート体Ｓ２とが面接着してなることを特徴とする請求項１〜２の何れかに記載された装飾品部Ａと片面カシメ雌部Ｂ２との組合せである。
○第４の考案（請求項４に記載の考案）
上記の課題を解決するための第４の考案（請求項４に記載の考案）は、
装飾品部Ａと片面カシメ雌部Ｂ２との組合せにおいて、上記に記載された片面カシメ雌部Ｂ２が、頭部Ｂ２１と第２の足部Ｂ２２の他にスペーサーＳｐを構成要素とすることを特徴とする請求項１〜３の何れかに記載された装飾品部Ａと片面カシメ雌部Ｂ２との組合せである。
○第５の考案（請求項５に記載の考案）
上記の課題を解決するための第５の考案（請求項５に記載の考案）は、
装飾品部Ａと片面カシメ雌部Ｂ２との組合せにおいて、片面カシメ雄部Ｂ１と片面カシメ雌部Ｂ２が２対で構成されることを特徴とする請求項４に記載された装飾品部Ａと片面カシメ雌部Ｂ２との組合せである。
【考案の効果】
【０００７】
本考案に係る、装飾品部Ａと片面カシメ雌部Ｂ２との組合せは、上記のような特徴的構成要件から構成され、特徴的構成要件に応じた、以下のような本考案特有の効果を奏する。
また、上記の各考案に応じた、上記のような特徴的構成要件から構成された装飾品部Ａと片面カシメ雌部Ｂ２との組合せによれば、本考案の課題を十分解消することができた。
○第１の考案の効果
第１の考案によれば、
装飾品部Ａと片面カシメ雌部Ｂ２との組合せにおいて、装飾品部Ａが、装飾品Ａ０と片面カシメ部Ｂ１とからなり、片面カシメ部Ｂ１が、平坦部Ｂ１１と足部Ｂ１２とからなり、装飾品Ａ０と平坦部Ｂ１１とを面接着してなると共に、片面カシメ雌部Ｂ２が、頭部Ｂ２１と第２の足部Ｂ２２とからなることという特徴的な構成要件により、本考案が解決しようとする第１課題〜第５課題を達成することができ、当業者予測不可能な顕著な効果を奏することができた。
○第２の考案の効果
第２の考案によれば、
装飾品部Ａと片面カシメ雌部Ｂ２との組合せにおいて、装飾品部Ａが、装飾品Ａ０と片面カシメ部Ｂ１と第１のシート体Ｓ１からなり、装飾品Ａ０と第１のシート体Ｓ１とが面接着してなり、第１のシート体Ｓ１と平坦部Ｂ１１とが面接着してなることという特徴的な構成要件により、本考案が解決しようとする第１課題〜第５課題を達成することができ、当業者予測不可能な顕著な効果を奏することができた。
○第３の考案の効果
第３の考案によれば、
装飾品部Ａと片面カシメ雌部Ｂ２との組合せにおいて、片面カシメ雄部Ｂ１が、平坦部Ｂ１１と足部Ｂ１２と第２のシート体とからなり、第２のシート体Ｓ２の貫通穴ｈに足部Ｂ１２を貫入させたものであって、装飾品Ａ０及び／又は第１のシート体Ｓ１と第２のシート体Ｓ２とが面接着してなることという特徴的な構成要件により、本考案が解決しようとする第１課題〜第５課題を達成することができ、当業者予測不可能な顕著な効果を奏することができた。
○第４の考案の効果
第４の考案によれば、
装飾品部Ａと片面カシメ雌部Ｂ２との組合せにおいて、上記に記載された片面カシメ雌部Ｂ２が、頭部Ｂ２１と第２の足部Ｂ２２の他にスペーサーＳｐを構成要素とすることという特徴的な構成要件により、本考案が解決しようとする第１課題〜第５課題を達成することができ、当業者予測不可能な顕著な効果を奏することができた。
○第５の考案の効果
第５の考案によれば、
装飾品部Ａと片面カシメ雌部Ｂ２との組合せにおいて、片面カシメ雄部Ｂ１と片面カシメ雌部Ｂ２が２対で構成されることという特徴的な構成要件により、本考案が解決しようとする第１課題〜第５課題を達成することができ、当業者予測不可能な顕著な効果を奏することができた。
【考案を実施するための最良の形態】
【０００８】
以下、本考案に係る、装飾品部Ａと片面カシメ雌部Ｂ２との組合せに関する最良の実施形態について、図面を参照しながら説明する。
●図１は、片面カシメの雄部と片面カシメの雌部の２つの部品から構成され、広く市販されている片面カシメを示す図である。
図１の左図は、片面カシメの雄部を表す図であり、図１の中図は、片面カシメの雌部を表す図であり、図１の右図は、片面カシメの雄部と片面カシメの雌部とが一体となった図を表す。
ここに、片面カシメの雄部とは、平坦部Ｂ１１と足部Ｂ１２を一体にしたものであり、片面カシメの雌部とは、頭部Ｂ２１と第２の足部Ｂ２２を一体にしたものである。
である。
●図２は、本考案（請求項１に記載された考案）に係る、装飾品部Ａと片面カシメ雌部Ｂ２との組合せを表す図である。
図２（Ａ）は、装飾品部Ａの左側面図を表す図であり、図２（Ｂ）は、装飾品部Ａの正面図を表す図である。
図２（Ｃ）は、片面カシメ雌部Ｂ２の正面図を表す図であり、
図２（Ｄ）は、片面カシメ雌部Ｂ２の右側面図を表す図である。
●図３は、本考案（請求項２に記載された考案）に係る、装飾品部Ａを表す図である。
図３（Ａ）は、装飾品部Ａの左側面図を表す図であり、図３（Ｂ）は、装飾品部Ａの正面図を表す図であり、図３（Ｃ）は、装飾品部Ａの右側面図を表す図である。
●図４は、本考案（請求項３に記載された考案の実施例の一つ）に係る、装飾品部Ａを表す図である。
図４（Ａ）は、装飾品部Ａの左側面図を表す図であり、図４（Ｂ）は、装飾品部Ａの正面図を表す図であり、図４（Ｃ）は、装飾品部Ａの右側面図を表す図である。
●図５は、本考案（請求項３に記載された考案の実施例の一つ）に係る、装飾品部Ａを表す図である。
図５（Ａ）は、装飾品部Ａの左側面図を表す図であり、図５（Ｂ）は、装飾品部Ａの正面図を表す図であり、図５（Ｃ）は、装飾品部Ａの右側面図を表す図である。
●図６は、本考案（請求項４に記載された考案）に係る、装飾品部Ａと片面カシメ雌部Ｂ２との組合せを表す図である。
図６（Ａ）は、装飾品部Ａの左側面図を表す図であり、図６（Ｂ）は、装飾品部Ａの正面図を表す図である。
図６（Ｃ）は、片面カシメ雌部Ｂ２の正面図を表す図であり、図６（Ｄ）は、片面カシメ雌部Ｂ２の右側面図を表す図である。
●図７は、従来技術であるバタフライクラッチとピンを用いた装飾金具を示す図である。
図７の左図は、ピンと装飾品が一体となったものを表し、図７の右図は、バタフライクラッチを表す図である。
以下、本考案に係る、装飾品部Ａと片面カシメ雌部Ｂ２との組合せについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の装飾品部Ａと片面カシメ雌部Ｂ２との組合せにおいて、
装飾品部Ａが、装飾品Ａ０と片面カシメ部Ｂ１とからなり、片面カシメ部Ｂ１が、平坦部Ｂ１１と足部Ｂ１２とからなり、装飾品Ａ０と平坦部Ｂ１１とを面接着してなると共に、片面カシメ雌部Ｂ２が、頭部Ｂ２１と第２の足部Ｂ２２とからなることを特徴とする装飾品部Ａと片面カシメ雌部Ｂ２との組合せが開示されている。
○第１の考案の効果
第１の考案によれば、
装飾品部Ａが、装飾品Ａ０と片面カシメ部Ｂ１とからなり、片面カシメ部Ｂ１が、平坦部Ｂ１１と足部Ｂ１２とからなり、装飾品Ａ０と平坦部Ｂ１１とを面接着してなると共に、片面カシメ雌部Ｂ２が、頭部Ｂ２１と第２の足部Ｂ２２とからなることという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の装飾品部Ａと片面カシメ雌部Ｂ２との組合せにおいて、
装飾品部Ａと片面カシメ雌部Ｂ２との組合せにおいて、装飾品部Ａが、装飾品Ａ０と片面カシメ部Ｂ１と第１のシート体Ｓ１からなり、装飾品Ａ０と第１のシート体Ｓ１とが面接着してなり、第１のシート体Ｓ１と平坦部Ｂ１１とが面接着してなることを特徴とする請求項１に記載された装飾品部Ａと片面カシメ雌部Ｂ２との組合せが開示されている。
○第２の考案の効果
第２の考案によれば、
装飾品部Ａと片面カシメ雌部Ｂ２との組合せにおいて、装飾品部Ａが、装飾品Ａ０と片面カシメ部Ｂ１と第１のシート体Ｓ１からなり、装飾品Ａ０と第１のシート体Ｓ１とが面接着してなり、第１のシート体Ｓ１と平坦部Ｂ１１とが面接着してなることという特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の装飾品部Ａと片面カシメ雌部Ｂ２との組合せにおいて、
装飾品部Ａと片面カシメ雌部Ｂ２との組合せにおいて、片面カシメ雄部Ｂ１が、平坦部Ｂ１１と足部Ｂ１２と第２のシート体とからなり、第２のシート体Ｓ２の貫通穴ｈに足部Ｂ１２を貫入させたものであって、装飾品Ａ０及び／又は第１のシート体Ｓ１と第２のシート体Ｓ２とが面接着してなることを特徴とする請求項１〜２の何れかに記載された装飾品部Ａと片面カシメ雌部Ｂ２との組合せが開示されている。
○第３の考案の効果
第３の考案によれば、
装飾品部Ａと片面カシメ雌部Ｂ２との組合せにおいて、片面カシメ雄部Ｂ１が、平坦部Ｂ１１と足部Ｂ１２と第２のシート体とからなり、第２のシート体Ｓ２の貫通穴ｈに足部Ｂ１２を貫入させたものであって、装飾品Ａ０及び／又は第１のシート体Ｓ１と第２のシート体Ｓ２とが面接着してなることという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の装飾品部Ａと片面カシメ雌部Ｂ２との組合せにおいて、
装飾品部Ａと片面カシメ雌部Ｂ２との組合せにおいて、上記に記載された片面カシメ雌部Ｂ２が、頭部Ｂ２１と第２の足部Ｂ２２の他にスペーサーＳｐを構成要素とすることを特徴とする請求項１〜３の何れかに記載された装飾品部Ａと片面カシメ雌部Ｂ２との組合せが開示されている。
○第４の考案の効果
第４の考案によれば、
装飾品部Ａと片面カシメ雌部Ｂ２との組合せにおいて、上記に記載された片面カシメ雌部Ｂ２が、頭部Ｂ２１と第２の足部Ｂ２２の他にスペーサーＳｐを構成要素とすることという特徴的な構成要件により、本考案が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の装飾品部Ａと片面カシメ雌部Ｂ２との組合せにおいて、
装飾品部Ａと片面カシメ雌部Ｂ２との組合せにおいて、片面カシメ雄部Ｂ１と片面カシメ雌部Ｂ２が２対で構成されることを特徴とする請求項４に記載された装飾品部Ａと片面カシメ雌部Ｂ２との組合せが開示されている。
○第５の考案の効果
第５の考案によれば、
装飾品部Ａと片面カシメ雌部Ｂ２との組合せにおいて、片面カシメ雄部Ｂ１と片面カシメ雌部Ｂ２が２対で構成されることという特徴的な構成要件により、本考案が解決しようとする第１課題〜第５課題を達成することができ、当業者予測不可能な顕著な効果を奏することができた。
【図面の簡単な説明】
【０００９】
【図１】図１は、片面カシメの雄部と片面カシメの雌部の２つの部品から構成され、広く市販されている片面カシメを示す図である。図１の左図は、片面カシメの雄部を表す図であり、図1の中図は、片面カシメの雌部を表す図であり、図1の右図は、片面カシメの雄部と片面カシメの雌部とが一体となった図を表す。ここに、片面カシメの雄部とは、平坦部Ｂ１１と足部Ｂ１２を一体にしたものであり、片面カシメの雌部とは、頭部Ｂ２１と第２の足部Ｂ２２を一体にしたものである。
【図２】図２は、本考案（請求項１に記載された考案）に係る、装飾品部Ａと片面カシメ雌部Ｂ２との組合せを表す図である。図２（Ａ）は、装飾品部Ａの左側面図を表す図であり、図２（Ｂ）は、装飾品部Ａの正面図を表す図である。  図２（Ｃ）は、片面カシメ雌部Ｂ２の正面図を表す図であり、図２（Ｄ）は、片面カシメ雌部Ｂ２の右側面図を表す図である。
【図３】図３は、本考案（請求項２に記載された考案）に係る、装飾品部Ａを表す図である。図３（Ａ）は、装飾品部Ａの左側面図を表す図であり、図３（Ｂ）は、装飾品部Ａの正面図を表す図であり、図３（Ｃ）は、装飾品部Ａの右側面図を表す図である。
【図４】図４は、本考案（請求項３に記載された考案の実施例の一つ）に係る、装飾品部Ａを表す図である。図４（Ａ）は、装飾品部Ａの左側面図を表す図であり、図４（Ｂ）は、装飾品部Ａの正面図を表す図であり、図４（Ｃ）は、装飾品部Ａの右側面図を表す図である。
【図５】図５は、本考案（請求項３に記載された考案の実施例の一つ）に係る、装飾品部Ａを表す図である。図５（Ａ）は、装飾品部Ａの左側面図を表す図であり、図５（Ｂ）は、装飾品部Ａの正面図を表す図であり、図５（Ｃ）は、装飾品部Ａの右側面図を表す図である。
【図６】図６は、本考案（請求項４に記載された考案）に係る、装飾品部Ａと片面カシメ雌部Ｂ２との組合せを表す図である。図６（Ａ）は、装飾品部Ａの左側面図を表す図であり、図６（Ｂ）は、装飾品部Ａの正面図を表す図である。図６（Ｃ）は、片面カシメ雌部Ｂ２の正面図を表す図であり、図６（Ｄ）は、片面カシメ雌部Ｂ２の右側面図を表す図である。
【図７】図７は、従来技術であるバタフライクラッチとピンを用いた装飾金具を示す図である。図７の左図は、ピンと装飾品が一体となったものを表し、図７の右図は、バタフライクラッチを表す図である。
【符号の説明】
【００１０】
Ａ……装飾品部
Ａ０……装飾品
Ｂ１……片面カシメ雄部
Ｂ１１……平坦部
Ｂ１２……足部
Ｂ２……片面カシメ雌部
Ｓ１……第１のシート体
Ｓ２……第２のシート体
ｈ……貫通穴
Ｓｐ……スペーサー
Ｂ２１……頭部
Ｂ２２……第２の足部
【図２】
0003203621.tif 000003
【図５】
0003203621.tif 000004
【図６】
0003203621.tif 000005
【図１】
0003203621.tif 000006
【図３】
0003203621.tif 000007
【図４】
0003203621.tif 000008
【図７】
0003203621.tif 000009